(57)【要約】【課題】正確に原稿サイズを判定可能な画像読取装置を提供する。【解決手段】原稿読み取り領域を備え原稿を載置可能な載置台と、原稿読み取り領域に光を照射する光源と、原稿読み取り領域への上記光源以外からの光の進入を防止する閉状態と原稿読み取り領域への上記光源以外からの光の進入を許容する開状態とを取りうる載置台カバーと、原稿読み取り領域からの光を受光する受光手段と、開状態にて上記受光手段が受光した光量と閉状態にて上記受光手段が受光した光量とを取得し当該２つの光量の変動幅を算出する変動幅算出手段と、算出された変動幅に基づいて受光手段に対応する原稿読み取り領域における原稿の有無を判定する判定手段とを備える画像読取装置を提供する。【選択図】図５
2009049876.tif 000002
【特許請求の範囲】
【請求項１】
原稿読み取り領域を備え原稿を載置可能な載置台と、
上記原稿読み取り領域に光を照射する光源と、
上記原稿読み取り領域への上記光源以外からの光の進入を防止する閉状態と、原稿読み取り領域への上記光源以外からの光の進入を許容する開状態とを取りうる載置台カバーと、
上記原稿読み取り領域からの光を受光する受光手段と、
上記開状態にて上記受光手段が受光した光量と、上記閉状態にて上記受光手段が受光した光量とを取得し、当該２つの光量の変動幅を算出する変動幅算出手段と、
上記算出された変動幅に基づいて、上記受光手段に対応する上記原稿読み取り領域における原稿の有無を判定する判定手段と、
を備える画像読取装置。
【請求項２】
上記受光手段は、受光した光の光量を少なくとも３段階以上の各段階に分類して出力すると共に、
上記変動幅の算出結果は、３種類以上の値で出力される請求項１記載の画像読取装置。
【請求項３】
上記判定手段は、所定の閾値と、上記変動幅との比較に基づいて原稿の有無を判定する請求項１又は２に記載の画像読取装置。
【請求項４】
上記受光手段は、反射型センサである請求項１〜３のいずれかに記載の画像読取装置。
【請求項５】
上記受光手段は、ＣＣＤ（Charge-coupled Device）である請求項１〜３のいずれかに記載の画像読取装置。
【発明の詳細な説明】
【技術分野】
【０００１】
本発明は、画像読取装置に関し、詳しくは、原稿サイズの検知能力を高めた画像読取装置に関する。
【背景技術】
【０００２】
コピー機などの画像形成装置やスキャナなどの画像読取装置においては、原稿のサイズを自動で検知し、当該検知した原稿のサイズに合わせて、出力する画像データや転写媒体（用紙）のサイズを自動的に選択する機能が備えられている。
【０００３】
例えば、特公平７−３５５４号公報では、原稿台カバー（載置台カバー）が開いた状態における原稿サイズ検知器の信号に加えて、原稿台カバーを閉じた状態における信号を判定することで、原稿サイズの誤検知を防止する技術が開示されている。
【０００４】
なお、従来技術における原稿サイズの検知の仕組みを図７〜図１０を用いて説明する。
【０００５】
例えば反射型センサを用いた場合、原稿面にて反射した反射光は反射型センサを形成する受光素子にて受光され、例えば０〜５Ｖの電圧に変換される。ここで反射した光の強度が強い（光量が大きい）ほど、高電圧が生じる。図７に示すように、例えば電圧αに対応する光量を閾値Ｘと定義し、閾値Ｘよりも光量が多い場合には反射型センサ（または反射型センサが構成する検知器）は例えば“１”を出力する。また、閾値Ｘよりも光量が小さい場合には例えば“０”を出力する。このような反射型センサを用いて原稿サイズを検知する一例を図８Ａに示す。上記反射型センサ８００Ａ、８００Ｂを原稿台８０１上の主走査方向８０２及び副走査方向８０３に並べて配置し、それぞれの反射型センサ８００について、以下の処理を行う。図８Ｂは、原稿台に黒原稿を載置した状態、白原稿を載置した状態、原稿の無い状態それぞれにおける、センサの出力を示した図である。
【０００６】
まず、黒原稿８０４を載置した場合であって載置台カバーを開いた状態８１１では、原稿にて反射される反射光は微小であるため、反射型センサ８００Ａにて変換される電圧は小さく、即ち反射型センサ８００Ａは“０”を出力する。また、黒原稿８０４を載置した場合であって載置台カバーを閉じた状態８１２でも、同じく原稿にて反射される反射光は微小であるため反射型センサ８００Ａは“０”を出力する。つまり、載置カバーの開閉にかかわらず、反射型センサの出力値は“０”のまま変わらない。
【０００７】
また、白原稿８０４を載置した場合であって載置台カバーを開いた状態８１３では、原稿にて反射される反射光は大きくなり、反射型センサ８００Ａにて変換される電圧は大きく、即ち反射型センサ８００Ａは“１”を出力する。また、白原稿８０４を載置した場合であって載置台カバーを閉じた状態８１４でも、同じく原稿にて反射される反射光は大きいため反射型センサ８００Ａは“１”を出力する。つまり、載置カバーの開閉にかかわらず、反射型センサの出力値は“１”のまま変わらない。
【０００８】
これに対して、原稿が無い場合であって載置台カバーを開いた状態８１５では、原稿が無いため光は反射せず、反射型センサ８００Ｂにて変換される電圧は小さくなり、即ち反射型センサ８００Ｂは“０”を出力する。しかし、原稿が無い場合であって載置台カバーを閉じた状態８１６では、載置台カバーの裏に設けられた白色パネルにより反射される反射光が大きいため、反射型センサ８００Ｂは“１”を出力する。つまり、載置カバーの開状態と閉状態とで、反射型センサの出力値は“０”から“１”に変化する。この出力値の判定を各反射型センサについて行うことにより、各反射型センサに対応する原稿台の位置における原稿の有無を判定している。
【０００９】
また、例えばＣＣＤを用いて原稿の有無を検知する場合、原稿面にて反射した反射光はＣＣＤを形成する受光素子にて受光され、例えば０〜１．５Ｖの電圧に変換される。ここで反射した光の強度が強い（光量が大きい）ほど、高電圧が生じる。また、例えば電圧βに対応する光量を閾値Ｙと定義し、閾値Ｙよりも光量が多い場合にはＣＣＤ（またはＣＣＤが構成する検知器）は例えば“１”を出力する。また、閾値Ｘよりも光量が小さい場合には例えば“０”を出力する仕組みは上記反射型センサと同様である。
【００１０】
なお、主にＣＣＤは、図９に示すように、例えば主走査方向９０１の原稿の有無（幅）を検知する際に利用される。つまり、原稿台９０２上の主走査方向９０１に配置されたＣＣＤを構成する各素子について、以下の処理を行う。図１０は、図９に示した原稿台をＡ方向から見た際の、黒原稿を載置した状態、白原稿を載置した状態、原稿の無い状態それぞれにおける、副走査方向の断面図及びセンサの出力を示した図である。
【００１１】
まず、黒原稿を載置した場合であって載置台カバーを開いた状態１００１では、原稿にて反射される反射光は微小であるため、ＣＣＤを構成する素子の原稿部分１００１Ａ（原稿境界より左側）にて変換される電圧は小さく、即ち複数の素子１００１Ａは“０”を出力する。また、素子の無原稿部分１００１Ｂにおいても、原稿が無くさらに載置台カバーがないため反射光は微小であり、即ち素子１００１Ｂ（原稿境界より右側）は“０”を出力する。
【００１２】
次に、黒原稿を載置した場合であって載置台カバーを閉じた状態１００２では、原稿にて反射される反射光は微小であるため、素子の原稿部分１００２Ａにて変換される電圧は小さく、即ち複数の素子１００２Ａは“０”を出力する。これに対して、素子の無原稿部分１００２Ｂにおいては、載置台カバーの裏に設けられた白色パネルにより反射される反射光が大きく、即ち素子１００２Ｂは“１”を出力する。
【００１３】
白原稿を載置した場合であって載置台カバーを開いた状態１００３では、原稿にて反射される反射光は大きいため、ＣＣＤを構成する素子の原稿部分１００３Ａにて変換される電圧は大きく、即ち複数の素子１００３Ａは“１”を出力する。これに対して、素子の無原稿部分１００３Ｂにおいては、原稿が無くさらに載置台カバーがないため反射光は微小であり、即ち素子１００３Ｂは“０”を出力する。
【００１４】
これに対して、白原稿を載置した場合であって載置台カバーを閉じた状態１００４では、原稿にて反射される反射光は大きいため、ＣＣＤを構成する素子の原稿部分１００４Ａにて変換される電圧は大きく、即ち複数の素子１００４Ａは“１”を出力する。そして、素子の無原稿部分１００４Ｂにおいても、載置台カバーの裏に設けられた白色パネルにより反射される反射光が大きく、即ち素子１００４Ｂは“１”を出力する。
【００１５】
さらに、原稿が無い場合であって載置台カバーを開いた状態１００５では、原稿が無いため反射光は微小となり、ＣＣＤを構成する素子１００５Ａ（原稿境界より左側）にて変換される電圧は小さく、即ち複数の素子１００５Ａは“０”を出力する。また、同様に素子１００５Ｂ（原稿境界より右側）においても、原稿及び載置台カバーがないため反射光は微小であり、即ち素子１００５Ｂは“０”を出力する。
【００１６】
これに対して、原稿が無い場合であって載置台カバーを閉じた状態１００６では、載置台カバー裏面の白色パネルによる反射が大きいため、ＣＣＤを構成する素子１００６Ａ（原稿境界より左側）にて変換される電圧は大きく、即ち複数の素子１００６Ａは“１”を出力する。また、同様に素子１００６Ｂ（原稿境界より右側）においても、白色パネルによる反射が大きいため反射光は大きく、即ち素子１００６Ｂは“１”を出力する。
このような、載置台カバーを開いた状態及び閉じた状態における出力値の判定を各素子について行うことにより、各素子に対応する原稿台の位置における原稿の有無を判定している。
【００１７】
なお、これら反射型センサやＣＣＤの利用については、例えば主走査方向、副走査方向の両方とも反射型センサを用いて判定するケースや、主走査方向をＣＣＤ、副走査方向を反射型センサで判定するケースがある。
【特許文献１】特公平７−３５５４号公報
【発明の開示】
【発明が解決しようとする課題】
【００１８】
ところで、誤検知の原因として、載置台に入射する外乱光などが知られている。しかし近年では、これら以外にも、原稿に起因する誤検知が増加している。即ち、写真画質を実現したカラーコピー機などの普及により、カラーで高精細の原稿が、画像形成装置や画像読取装置の原稿として用いられる。このようなカラー高精細原稿では、単なる白黒原稿に比較して原稿表面で複雑な反射が引き起こされるため、従来の検知器がこれら複雑な反射光を正確に処理しきれず、結果として原稿に一致しないサイズの選定や原稿の有無の判定ミスを引き起こすのである。
【００１９】
また、原稿となる転写媒体の厚さの多様化も誤検知の原因となっている。即ち、例えば、カラー印刷用の転写媒体や、通常印刷（白黒印刷）用の転写媒体の双方が原稿として利用されるが、これらはそれぞれ光の透過率が異なる。例えば、厚みのある原稿に対して、載置台カバーが開状態における反射光と、閉状態における反射光とはさほど変わらない。これに対して、厚みの無い原稿では、開状態における反射光と閉状態における反射光とに僅かながら差が生じる。例えば、厚みの無い原稿を開状態において検知すると、図７における黒三角形ｘの反射αxを得、即ち出力が“０”となる。そして、閉状態にすると、原稿を透過した光が載置台カバーの白色パネルにて反射するため、反射光は開状態よりも僅かに大きい黒四角形ｙの反射αyを得、即ち出力が“１”となる。このように僅かな反射の差が閾値Ｘを跨いでしまう場合には、原稿があるにもかかわらず図８にて説明したように原稿無しと判定され、即ち誤検知となってしまう。
【００２０】
この、開閉時における原稿の僅かな反射量の差に基づく誤検知は、カラー高精細原稿における複雑な反射や、外乱光の入射の大小によっても引き起こされる。
【００２１】
本発明は、上記問題を解決するために提案するものであって、複雑な反射を引き起こす高精細原稿を扱った場合等においても正確に原稿サイズを判定可能な画像読取装置を提供することを目的とする。
【課題を解決するための手段】
【００２２】
本発明は、上記目的を達成するために以下の手段を採用している。すなわち本発明における画像読取装置は、原稿読み取り領域を備え原稿を載置可能な載置台と、原稿読み取り領域に光を照射する光源と、原稿読み取り領域への上記光源以外からの光の進入を防止する閉状態と原稿読み取り領域への上記光源以外からの光の進入を許容する開状態とを取りうる載置台カバーと、原稿読み取り領域からの光を受光する受光手段と、開状態にて上記受光手段が受光した光量と閉状態にて上記受光手段が受光した光量とを取得し当該２つの光量の変動幅を算出する変動幅算出手段と、算出された変動幅に基づいて受光手段に対応する原稿読み取り領域における原稿の有無を判定する判定手段とを備える。
【００２３】
なお、受光手段は、受光した光の光量を少なくとも３段階以上の各段階に分類して出力すると共に、変動幅の算出結果は３種類以上の値で出力される。
【００２４】
さらに、判定手段は、所定の閾値と変動幅との比較に基づいて原稿の有無を判定する。
受光手段は、反射型センサである構成や、ＣＣＤ（Charge-coupled Device）である構成としてもよい。
【発明の効果】
【００２５】
開状態におけるセンサの出力値と閉状態におけるセンサの出力値との差（変動幅）を閾値Ｔと比較することで、複雑な反射を引き起こす高精細原稿を扱った場合等においても僅かな光量の差による誤検知を防止し、即ち正確に原稿サイズを判定可能である。
また、載置台カバーと載置台とが成す角度や、装置の設置場所を制限しなくても正確に原稿サイズを読み取ることが可能となる。
【発明を実施するための最良の形態】
【００２６】
以下、添付図面を参照して、本発明の実施の形態につき説明し、本発明の理解に供する。尚、以下の実施の形態は、本発明を具体化した一例であって、本発明の技術的範囲を限定するものではない。
【００２７】
本発明に係る画像読取装置は、例えばスキャナや、コピー機、ファックス、あるいはこれらを備えた複合機等が該当する。
【００２８】
なお、画像読取装置の一例としてスキャナの構成を簡単に説明する。図１は、画像読取装置１０１の概略構成を示した側面図である。図１に示すように画像読取装置１０１は、載置台１０２、載置台カバー１０３、第一の移動キャリッジ１０４、第二の移動キャリッジ１０８、レンズ群１１１、及び受光手段として機能する受光素子を備えたＣＣＤ１１２を具備している。
【００２９】
さらに、上記第一の移動キャリッジ１０４は、光源１０５と、光源から照射され原稿表面にて反射した光を通過させるスリット１０７と、スリットを介して受光した光を反射する第一キャリッジ反射ミラー１０６とを備えている。
【００３０】
また、上記第二の移動キャリッジ１０８は、上記第一キャリッジ反射ミラー１０６からの反射光を反射する第二キャリッジ反射ミラー１０９、１１０を備えている。
【００３１】
さらに副走査方向直線上の所定の位置（例えば主走査方向中央部近傍）に、複数個の反射型センサ１１４を備えている。
【００３２】
図２は、画像読取装置を図１のＢより見た際の概略上面図であり、載置台カバー１０３を省略した状態における画像読取装置の上方からの図面である。
【００３３】
上記載置台１０２は、コンタクトガラスと、当該コンタクトガラスの原稿読取面（上面）に設けられた原稿載置板２０１、２０２とより構成される。上記原稿載置板２０１、２０２は、コンタクトガラス上であって、原稿の読み取り対象ではない非読取領域に配設されており、コンタクトガラス上であっても非読取領域については原稿の読み取り対象とはならない。また、上記原稿載置板２０１、２０２が配設されていない、破線２０３で示される領域は、原稿の読取領域２０３とすることができる。読取領域とはコンタクトガラス上であって、かつ原稿の読み取り対象となる領域である。
【００３４】
さて、上記構成に基づいて、画像読取装置１０１が原稿を読み取る処理について説明する。
【００３５】
上記画像読取装置１０１にて原稿を読み取る場合、上記載置台１０２の原稿読取面に対して、原稿の読み取り面を対向させて配置する。この際に、原稿の角部が、コンタクトガラスに対して凸部となる原稿載置板２０１より定められる基準点１１３と合致するように原稿を配置する。原稿を配置して載置台カバー１０３を原稿上部に着設（図１の状態）した後読み取り処理を開始すると、上記第一の移動キャリッジ１０４が基準点１１３を含む走査ライン下方に移動する。
【００３６】
続いて、第一の移動キャリッジ１０４上の光源１０５がコンタクトガラスの下面である照射面方向より原稿に対して光を照射する。照射された光は、原稿の読み取り面にてその濃度に応じて反射され、スリット１０７を介して第一キャリッジ反射ミラー１０６に反射される。
【００３７】
第一キャリッジ反射ミラー１０６にて反射された光は、第二キャリッジ１０８を構成する第二キャリッジ反射ミラー１０９、１１０にて順次反射されることでその光路が変更され、レンズ群１１１を介して受光素子にて受光される。
【００３８】
受光素子にて原稿の反射光が受光されると、受光素子は受光した光を電気信号に変換することで原稿の走査方向の例えば１ライン分の画像が電子化される。
【００３９】
上記第一キャリッジ１０４が副走査方向に移動し、当該移動に基づいて受光した光を随時変換することで、読取領域２０３内に載置された原稿の読み取り面全面が電子化されて画像情報として取得される。
【００４０】
取得された画像情報は、例えば図示しない記憶手段に記憶され、必要に応じて他の機器あるいは他の処理部に送信される。
【００４１】
以上が、原稿から画像情報を取得する際の画像情報取得処理であるが、当該画像情報取得処理に先立って、読取領域に載置された原稿のサイズを取得するサイズ取得処理が行われる。
【００４２】
続いて、副走査方向におけるサイズ取得処理の詳細について説明する。
【００４３】
載置台カバー１０３が開状態において図２に示す原稿２０４が載置台１０２上の読取領域２０３に載置されると、まず反射型センサＡ〜Ｄが原稿の検知を行う。なお、載置台カバー１０３の開状態とは、読取領域２０３への、光源１０５及び各反射型センサ１１４に備えられた光源以外からの光の進入を許容する状態であり、また、載置台１０２に原稿を載置することが可能な状態と定義することもできる。これに対して後述する閉状態とは、読取領域２０３への、光源１０５及び各反射型センサ１１４に備えられた光源以外からの光の進入を防止する状態であり、また、載置台１０２に原稿を載置することが不可能な状態と定義することもできる。
【００４４】
開状態では、図３に示した開閉検知手段５０１は、載置台カバー１０３の状態を“開”と検知しており、当該“開”である旨が変動幅算出手段５０３に入力される（図６：Ｓ６０１）。また同時に、受光手段５０２として機能する各反射型センサ１１４Ａ〜Ｄは、それぞれ上記開状態における受光量を取得する（図６：Ｓ６０２）。ここで、反射型センサ１１４Ａ、Ｂは、原稿２０４の検知位置（原稿位置）に位置するため、反射型センサ１１４Ａ、Ｂによる受光量は、図３における黒三角形ｘの位置の値、即ちαｘとして取得される。これに対して、反射型センサ１１４Ｃ、Ｄは、原稿２０４の非検知位置（無原稿位置）に位置するため、反射型センサ１１４Ｃ、Ｄによる受光量は外乱光のみとなり図３における黒星位置ｌ、即ちαｌとして取得される。
【００４５】
続いて、載置台カバー１０３が閉じられると、その旨を検知した開閉検知手段５０１は、載置台カバー１０３の状態を“閉”として変動幅算出手段５０３に入力する（図６：Ｓ６０３）。また同時に、受光手段５０２として機能する各反射型センサ１１４Ａ〜Ｄは、それぞれ上記閉状態における受光量を取得する（図６：Ｓ６０４）。ここで、反射型センサ１１４Ａ、Ｂは、原稿２０４の検知位置に位置するが、原稿２０４が薄い場合には載置カバー１０３からの反射の影響を受けるため、上記αｘよりも受光量が増える。よって、反射型センサ１１４Ａ、Ｂによる受光量は、図３における黒四角形ｙの位置の値、即ちαｙとして取得される。これに対して、反射型センサ１１４Ｃ、Ｄは、原稿２０４の非検知位置に位置するため、載置カバー１０３の裏面に備えられた白色パネルからの大きな反射光を受け、図３における黒菱形ｋの位置、即ちαｋとして取得される。
【００４６】
次に、上記開状態及び閉状態における受光手段５０２の光量を取得した変動幅算出手段５０３は、開状態における受光量と閉状態における受光量の差、即ち変動幅（変動量）を算出する（図６：Ｓ６０５）。ここでは、例えば反射型センサ１１４Ａ、１１４Ｂでは、原稿位置に該当するため変動幅Ｐ（αｘ−αｙ）が小さくなる。これに対して、反射型センサ１１４Ｃ、１１４Ｄでは、無原稿位置に該当するため変動幅Ｑ（αｌ−αｋ）が変動幅Ｐに比較して大きくなる。上記算出された４つの変動幅（２つの変動幅Ｐと２つの変動幅Ｑ）が判定手段５０４に送信されると、当該判定手段５０４は、各変動幅と閾値（Ｔ）とを比較する（図６：Ｓ６０６）。閾値（Ｔ）を変動幅Ｐと変動幅Ｑとの中間値と仮定すると、変動幅Ｐ＜Ｔ、変動幅Ｑ＞Ｔとなり、閾値Ｔより小さい変動幅Ｐに対応する反射型センサ１１４Ａ、１１４Ｂは原稿位置に該当し、閾値Ｔより大きい変動幅Ｑに対応する反射型センサ１１４Ｃ、１１４Ｄは無原稿位置に該当すると判定する。つまり、副走査方向における原稿端は、反射型センサ１１４Ｂと１１４Ｃとの間にあることが判定できる。
【００４７】
なお、反射型センサが検知する光量を０〜５Ｖの範囲とし、これらを０．１Ｖを最小単位として５０段階で出力するものと仮定する。この場合には、変動幅Ｑは５０に近い値となるが、これに対して変動幅Ｐは０〜５の範囲に収まる程度の差として現れる。このため、変動幅と閾値とを比較することで、僅かな光量の差による誤検知を防止することが可能となる。
【００４８】
上記に示したように、従来技術では開状態においてセンサの出力値を閾値Ｘと比較し、また閉状態においてセンサの出力値を閾値Ｘと比較して、大小の変位を判定しているが、これに比して、開状態におけるセンサの出力値と閉状態におけるセンサの出力値との差（変動幅）を閾値Ｔと比較することで、複雑な反射を引き起こす高精細原稿を扱った場合等においても僅かな光量の差による誤検知を防止し、即ち正確に原稿サイズを判定可能となる。本願記載の技術では、従来技術の図７に示した、閾値Ｘ（黒丸）近傍の反射であっても当然誤検知を生じない。
【００４９】
さらに、従来では、外乱光の入射をできる限り防ぐため、載置台カバーと載置台とが成す角度を例えば３０〜６０度に制限したり、あるいは窓際や蛍光灯近傍など外光の入射が大きい場所への設置を制限していた。これに対して、本願技術を用いることで、角度や設置場所を制限しなくても、正確に原稿サイズを読み取ることが可能となる。
【００５０】
続いて、主走査方向におけるサイズ取得処理の詳細について説明する。なお、主走査方向におけるサイズ取得処理のフローチャートも上記副走査方向におけるサイズ取得処理と同様であるため、フローチャートについては省略する。なお、主走査方向、副走査方向とも、サイズ取得処理は平行して行われる。
【００５１】
載置台カバー１０３が開状態において図２に示す原稿２０４が載置台１０２上の読取領域２０３に載置されると、まずＣＣＤ１１２が原稿の検知を行う。この状態では、開閉検知手段５０１は、載置台カバー１０３の状態を“開”と検知しており、当該“開”である旨が変動幅算出手段５０３に入力される。また同時に、受光手段５０２として機能するＣＣＤ１１２を構成する、主走査方向に配置された複数の素子（素子郡）Ａ、Ｂは、それぞれ上記開状態における受光量を取得する。ここで、複数の素子Ａは原稿２０４の検知位置（原稿位置）に位置するため、素子Ａによる受光量は、図４におけるβｘとして取得される。これに対して、素子Ｂは、原稿２０４の非検知位置（無原稿位置）に位置するため、ＣＣＤ１１２による受光量は外乱光のみとなり図４におけるβｌとして取得される。
【００５２】
続いて、載置台カバー１０３が閉じられると、その旨を検知した開閉検知手段５０１は、載置台カバー１０３の状態を“閉”として変動幅算出手段５０３に入力する。また同時に、受光手段５０２として機能するＣＣＤ１１２は、それぞれ上記閉状態における受光量を取得する。ここで、素子Ａは、原稿２０４の検知位置に位置するが、原稿２０４が薄い場合には載置カバー１０３からの反射の影響を受けるため、上記βｘよりも受光量が増える。よって、素子Ａによる受光量は、図４におけるβｙとして取得される。これに対して、素子Ｂには、原稿２０４の非検知位置に位置するため、載置カバー１０３の裏面に備えられた白色パネルからの大きな反射光を受け、受光量は図４におけるβｋとして取得される。
【００５３】
次に、上記開状態及び閉状態における受光手段５０２の光量を取得した変動幅算出手段５０３は、開状態における受光量と閉状態における受光量の差、即ち変動幅を算出する。ここでは、例えば素子Ａでは、原稿位置に該当するため変動幅Ｐ（βｘ−βｙ）（但し変動幅は絶対値で示される）が小さくなる。これに対して、素子Ｂでは、無原稿位置に該当するため変動幅Ｑ（βｌ−βｋ）が変動幅Ｐに比較して大きくなる。なお、各素子が検知する光量（明度）を０〜１．５Ｖの範囲とし、これらを０〜２２５に分割した２２６段階で出力するものと仮定する。この場合には、変動幅Ｑは２００以上の値となるが、これに対して変動幅Ｐは０〜２０の範囲に収まる程度の差として現れる。このため、変動幅と閾値とを比較することで、僅かな光量の差による誤検知を防止することが可能となる。なお、これら各素子の変動幅を“変動幅の値”４０１として図４に示す。
【００５４】
変動幅は、主走査方向に配置されたすべての素子毎に算出され判定手段５０４に送信されると、当該判定手段５０４は、各変動幅と閾値（Ｔ）とを比較する。閾値（Ｔ）を変動幅Ｐと変動幅Ｑとの中間値と仮定すると、変動幅Ｐ＜Ｔ、変動幅Ｑ＞Ｔとなり、閾値Ｔより小さい変動幅Ｐに対応する素子Ａは原稿位置に該当し、閾値Ｔより大きい変動幅Ｑに対応する素子Ｂは無原稿位置に該当すると判定する。つまり、主走査方向における原稿端は、変動幅の値が１２を示す素子ＡＲと、変動幅の値が２２０を示す素子ＢＬとの間と判定される。
【００５５】
ＣＣＤを利用した場合でも、反射型センサを用いた場合と同様、複雑な反射を引き起こす高精細原稿を扱った場合等においても僅かな光量の差による誤検知を防止し、即ち正確に原稿サイズを判定可能となる。
【００５６】
なお、上記例では、光量を５０段階及び２５６段階に分類して出力しているが、これらに限らず、３段階以上であれば従来に比して検知能力を増すことが可能となる。この際には、変動幅は３種類以上の値で出力されることになる。
【産業上の利用可能性】
【００５７】
本発明に係る画像読取装置は、複雑な反射を引き起こす高精細原稿を扱った場合等においても正確に原稿サイズを判定可能であるため、原稿サイズの検知能力を高めた画像読取装置として有用である。
【図面の簡単な説明】
【００５８】
【図１】画像読取装置の概略構成を示した側面図。
【図２】画像読取装置の上面図。
【図３】反射型センサを用いた場合の変動幅を説明するための図。
【図４】ＣＣＤを用いた場合の変動幅を説明するための図。
【図５】画像読取装置の概略機能を示した概略機能ブロック図。
【図６】サイズ取得処理の手順を示すフローチャート。
【図７】従来のサイズ取得技術を説明するための第一の図。
【図８】従来のサイズ取得技術を説明するための第二の図。
【図９】従来のサイズ取得技術を説明するための第三の図。
【図１０】従来のサイズ取得技術を説明するための第四の図。
【符号の説明】
【００５９】
１０１  画像読取装置
１０２  載置台
１０３  載置台カバー
１０４  第一の移動キャリッジ
１０５  光源
１０６  第一移動キャリッジ反射ミラー
１０７  スリット
１０８  第二の移動キャリッジ
１０９、１１０  第二移動キャリッジ反射ミラー
１１０  第二移動キャリッジ反射ミラー
１１１  レンズ群
１１２  ＣＣＤ
１１３  基準点
１１４  反射型センサ
２０１、２０２  原稿載置板
２０３  読取領域
５０１  開閉検知手段
５０２  受光手段
５０３  変動幅算出手段
５０４  判定手段
【図１】
2009049876.tif 000003
【図２】
2009049876.tif 000004
【図３】
2009049876.tif 000005
【図４】
2009049876.tif 000006
【図５】
2009049876.tif 000007
【図６】
2009049876.tif 000008
【図７】
2009049876.tif 000009
【図８】
2009049876.tif 000010
【図９】
2009049876.tif 000011
【図１０】
2009049876.tif 000012